(57)【要約】      （修正有）【課題】  携帯電話等の移動体通信装置に宛てられたスパムメールをフィルタリングするシステムを提供する。【解決手段】  移動体通信装置に宛てられたスパムメールをフィルタリングするためのスパムフィルタリングシステム及び方法が開示される。スパムフィルタリングシステムにおいて、処理システムは、インターフェイスを介して移動体通信装置に宛てられたメッセージを受信する。処理システムは、第１のフィルタリング基準に基づいてメッセージを処理してスパムメールの疑いがあるか最初の判断を下す。疑いがないと判断した場合、メッセージをメッセージセンターに送信する。疑いがあると判断した場合、第２のフィルタリング基準に基づいてメッセージを処理してスパムメールからなる疑いがあるかの最終判断を下す。メッセージがスパムメールからなると判断した場合、メッセージをブロックする。【選択図】  図１
2006060811.tif 000002
【特許請求の範囲】
【請求項１】
無線ネットワーク（１００）のためのスパムフィルタリングシステム（１１０）であって、該スパムフィルタリングシステムは、
移動体通信装置（１０４）に宛てられたメッセージ（１０６）を受信するインターフェイス（１１２）、及び
処理システム（１１４）であって、該インターフェイスから該メッセージを受信し、該メッセージがスパムメールからなる疑いがあるか否かの最初の判断を下すために第１のフィルタリング基準に基づいて該メッセージを処理し、該最初の判断で該メッセージがスパムメールからなる疑いがないと判断すると、該メッセージをメッセージセンター（１１１）に送信し、該最初の判断で該メッセージがスパムメールからなる疑いがあると判断すると、該メッセージがスパムメールからなるか否かの最終判断を下すために第２のフィルタリング基準に基づいて該メッセージを処理する処理システム
からなるスパムフィルタリングシステム。
【請求項２】
請求項１記載のスパムフィルタリングシステム（１１０）において、
該処理システム（１１４）が、該最終判断で該メッセージ（１０６）がスパムメールからなるものではないと判断すると、該メッセージをメッセージセンター（１１１）に送信し、該最終判断で該メッセージがスパムメールからなると判断すると、該メッセージをブロックするスパムフィルタリングシステム。
【請求項３】
請求項２記載のスパムフィルタリングシステム（１１０）において、
該処理システム（１１４）が、該最終判断で該メッセージ（１０６）がスパムメールからなると判断すると、該メッセージをデータテーブルに記憶し、該メッセージの分析に基づいて該第１のフィルタリング基準及び該第２のフィルタリング基準の少なくとも１つを更新するスパムフィルタリングシステム。
【請求項４】
請求項１記載のスパムフィルタリングシステム（１１０）において、
該メッセージ（１０６）がショート・メッセージ・サービス（ＳＭＳ）メッセージ及びマルチメディア・サービス（ＭＭＳ）メッセージの少なくとも一方からなるスパムフィルタリングシステム。
【請求項５】
請求項１記載のスパムフィルタリングシステム（１１０）において、
該処理システム（１１４）が、該最終判断を下すために人間のオペレーターに問い合わせるスパムフィルタリングシステム。
【請求項６】
無線ネットワーク（１００）においてスパムメールをフィルタリングする方法であって、該方法は、
移動体通信装置（１０４）に宛てられたメッセージ（１０６）を受信するステップ、
該メッセージがスパムメールからなる疑いがあるか否かの最初の判断を下すために第１のフィルタリング基準に基づいて該メッセージを処理するステップ、
該最初の判断で該メッセージがスパムメールからなる疑いがないと判断すると、該メッセージをメッセージセンター（１１１）に送信するステップ、及び
該最初の判断で該メッセージがスパムメールからなる疑いがあると判断すると、該メッセージがスパムメールからなるか否かの最終判断を下すために第２のフィルタリング基準に基づいて該メッセージを処理するステップ
からなる方法。
【請求項７】
請求項６記載の方法であって、さらに、
該最終判断で該メッセージ（１０６）がスパムメールからなるものではないと判断すると、該メッセージを該メッセージセンター（１１１）に送信するステップ、及び
該最終判断で該メッセージがスパムメールからなると判断すると、該メッセージをブロックするステップ
からなる方法。
【請求項８】
請求項７記載の方法であって、さらに、
該最終判断で該メッセージ（１０６）がスパムメールからなると判断すると、該メッセージをデータテーブルに記憶するステップ、
該メッセージを分析するステップ、及び
該メッセージの分析に基づいて該第１のフィルタリング基準及び該第２のフィルタリング基準の少なくとも１つを更新するステップ
からなる方法。
【請求項９】
請求項６記載の方法において、
該メッセージ（１０６）がショート・メッセージ・サービス（ＳＭＳ）メッセージ及びマルチメディア・サービス（ＭＭＳ）メッセージの少なくとも一方からなる方法。
【請求項１０】
請求項６記載の方法であって、さらに、
該最終判断を下すために人間のオペレーターに問い合わせるステップ
からなる方法。
【発明の詳細な説明】
【技術分野】
【０００１】
本発明は無線通信の分野に関し、特に、無線ネットワークで通信する移動体通信装置に宛てられたスパムメールをフィルタリングするシステム及び方法に関する。
【背景技術】
【０００２】
多くの人が毎日コンピュータを使用して仕事又は家でｅメールのアカウントにアクセスしている。コンピュータのユーザーが直面する１つの問題は彼らのｅメールのアカウントにスパムメールを受信してしまうことである。送信者の側では、スパムメールは、しばしばｅメール配信リスト作成を専門とする業者によって取得されたリストへの大量のｅメールの形態をとる。受信者にとって、スパムメールは削除される必要がありウイルスを含んでいる危険のある不要なｅメールである。スパムメールは、残念ながらユーザーがスパムメールに対して部分的に支払いを行っていること（皆がインターネットを維持する費用を出し合っているので）を除いて、歓迎されない電話売り込みコールと同じようなものである。
【０００３】
スパムメールに対する防御として、ユーザーによってはスパムフィルターを彼らのコンピュータ又はネットワークサーバーにインストールしている。スパムフィルターは歓迎されない又は望まないｅメールを検出するために使用されるプログラムであり、それらのｅメールがユーザーの受信箱に到達するのを防ぐものである。他のタイプのフィルタリングプログラムのように、スパムフィルターは判断のための所定の基準を探すものである。例えば、最も単純で早くからあるバージョンのものは、メッセージの表題における特定の単語を監視し、ユーザーの受信箱から該当するメッセージを除外するよう設定されるものである。この方法は、適正なメッセージがブロックされ、本当のスパムメールが通過してしまうので、それほど有効なわけではない。より高度なプログラムは、スパムメールを疑わしい単語パターンや単語頻度によって識別しようとするものである。
【０００４】
携帯電話や他の移動体通信装置は、近年ではショート・メッセージ・サービス（ＳＭＳ）メッセージのようなテキストメッセージを送信及び受信するよう装備されている。携帯電話によっては、カメラ付き電話によって撮られたデジタル画像のようなマルチメディアメッセージを送信及び受信するようにも装備されている。しかしながら、現在、コンピュータで使用されているスパムフィルターは、携帯電話や他の移動体通信装置がＳＭＳや同種のメッセージ形態のスパムメールを受信してしまうことを防ぐように効果的に装備されはていない。コンピュータに対する現在のスパムフィルターは、現在の携帯電話で使用されるテキストやマルチメディアメッセージに対してではなく、ＨＴＴＰメッセージに対して作られている。
【０００５】
標準的なＳＭＳテキストメッセージについて、送信者は多数の宛先電話機及びテキストメッセージを入力する。送信者の電話機は、シグナリング（例えば、ＳＳ７、Ｃ７又は他のシグナリング）をシグナリング経路上でシグナリングゲートウェイを介してＳＭＳセンター（ＳＭＳＣ）へ送信する。搬送経路がＳＭＳＣへ確立されると、送信者の電話機はテキストメセージをＳＭＳＣに搬送経路を介して送信する。ＳＭＳＣはその後、そのテキストメッセージを宛先の電話機に転送する。ＳＭＳメッセージがスパムメールからなる場合、現在のところ残念ながらこのスパムメールをブロックする有効な方法はない。ＳＭＳメッセージがスパムメールからなり、ＳＭＳメッセージがＳＭＳＣに到達すると、ＳＭＳＣは現状のところ、ＳＭＳメッセージがスパムメールからなるかを確認することなく、ＳＭＳメッセージを宛先の電話機に送信してしまう。
【０００６】
ユーザーがあまりにも多くのスパムメールを受信すると、宛先電話機のユーザーは彼／彼女のサービスプロバイダーに不満を持つことになるであろう。従って、携帯電話や同種の移動体通信装置に宛てられるスパムＳＭＳメッセージ（及びスパムメールからなる他のテキスト又はマルチメディアメッセージ）をブロックする設備が存在しないことは問題である。
【発明の開示】
【課題を解決するための手段】
【０００７】
発明は上述及び他の関連する問題を、移動体通信装置に宛てられたスパムメールをフィルタリングすることによって解決するものである。スパムメールをそれが移動体通信装置に到達する前にフィルタリングすることによって、移動体通信装置のユーザーは望まないメッセージを読む必要も及び／又は削除する必要もなくなる。スパムフィルターを導入するサービスプロバイダーは、好都合なことに彼らの顧客が非常に多くのスパムメールによって不満を持つという事態を避けることができる。
【０００８】
発明の一実施例はスパムフィルタリングシステムからなる。スパムフィルタリングシステムはショート・メッセージ・サービス・センター（ＳＭＳＣ）、シグナリング・トランスファー・ポイント（ＳＴＰ）、ＳＳ７ゲートウェイ、ＳＭＰＰゲートウェイ、又は無線ネットワーク内の他の場所に位置するようにすればよい。動作について、処理システムが移動体通信装置へ宛てられたメッセージをインターフェイスを介して受信する。処理システムは、メッセージがスパムメールからなる疑いがあるか否かの最初の判断を行うために第１のフィルタリング基準に基づいてメッセージを処理する。メッセージがスパムメールからなる疑いがないと処理システムが判断した場合、処理システムはそのメッセージを、メッセージセンター、又は宛先の移動体通信装置へメッセージを転送するよう構成された他のシステムに送信する。メッセージがスパムメールからなる疑いがあると処理システムが判断した場合、メッセージがスパムメールからなるか否かについての最終判断を下すために、処理システムは第２のフィルタリング基準に基づいてメッセージを処理する。
【０００９】
処理システムが最終判断においてメッセージがスパムメールからなるものではないと判断した場合、処理システムはメッセージをメッセージセンターに送信する。メッセージがスパムメールからなるものであると処理システムが判断した場合、処理システムはそのメッセージをブロックする。
【００１０】
いくつかの実施例においてスパムフィルタリングシステムの性能を向上するために、処理システムはスパムメールと識別されるメッセージをデータテーブルに記憶する。そして、処理システムはデータテーブル内に記憶されたスパムメッセージの内容を分析して、新しいスパムパターンか、あるいは他のスパムメールの表示かを識別する。そして、処理システムは第１のフィルタリング基準及び／又は第２のフィルタリング基準を新しいスパムパターンを用いて更新し、スパムメールのフィルタリングを向上する。
【００１１】
発明は下記に示す他の実施例も含む。なお、全ての図面を通じて同じ符号は同じ要素を表している。
【発明を実施するための最良の形態】
【００１２】
図１〜４及び以下の記載は発明の特定の実施例を描写して、どのように発明の最良の態様を利用するかを当業者に教示するものである。進歩的な原理を教示するために、発明の従来的な側面は簡略化され、又は省略されている。当業者であれば発明の範疇に帰着する実施例からの変更例を想到するであろう。当業者であれば、下記の特徴がいろいろな形式で組み合わされて発明の様々な変更例を形成できることは理解できるであろう。結果として、発明は下記の実施例に限定されず、特許請求の範囲及びその同等なものによってのみ限定される。
【００１３】
図１は発明の実施例における通信環境１００を示すものである。通信環境１００は無線ネットワーク１０２及び移動体通信装置１０４を含む。無線ネットワーク１０２は、ベライゾン（Verizon）、スプリント（Sprint）、シンギュラー（Cingular）等、無線信号を介してエンドユーザーと通信する任意のネットワークからなる。移動体通信装置１０４は、持ち運び可能な、あるいは移動できる電話機、ＰＤＡ等の任意の装置からなり、メッセージを無線信号を介して送信及び受信する。メッセージは携帯電話、ＰＤＡ又は同種の装置によって無線信号を介して送信され又は受信された任意の情報単位からなる。この実施例におけるメッセージは、ＳＭＳメッセージのようなテキストメッセージ、及びカメラ付き電話からのデジタル画像のようなマルチメディアメッセージを含む。本実施例のメッセージは、ＨＴＴＰタイプのメッセージを含むことを意図していない。通信環境１００は、説明の便宜のため図示していない他のネットワーク、システム、又は装置を含むようにしてもよい。
【００１４】
無線ネットワーク１０２はスパムフィルタリングシステム１１０及びメッセージセンター１１１を含む。スパムフィルタリングシステム１１０はインターフェイス１１２及び処理システム１１４を含む。インターフェイスはメッセージを受信及び送信する任意のシステム、装置又は部材からなる。処理システムは命令を実行する任意のコンピュータ、マイクロプロセッサ、論理回路又は他の処理装置からなる。スパムフィルタリングシステム１１０は無線ネットワーク１０２内の複数の所望の位置に配置されるようにすればよい。例えば、スパムフィルタリングシステム１１０はメッセージセンター１１１、シグナリング・トランスファー・ポイント（ＳＴＰ）（図示せず）、ＳＳ７ゲートウェイ（図示せず）、ＳＭＰＰゲートウェイ（図示せず）又はネットワーク１０２内の他の場所に位置するようにすればよい。スパムフィルタリングシステム１１０は、説明の便宜のため図示していない他のシステム、装置又は部材を含んでいてもよい。メッセージセンターは、メッセージを受信しそのメッセージを宛先の移動体通信装置に転送する任意のシステムからなる。メッセージセンターの一例はＳＭＳＣである。
【００１５】
図２は、発明の実施例における無線ネットワーク１０２でのスパムメールをフィルタリングする方法２００を示すフローチャートである。方法２００は図１におけるスパムフィルタリングシステム１１０によって実行されるものとして記載されている。ステップ２０２において、処理システム１１４は、移動体通信装置１０４に宛てられるメッセージ１０６を受信する（図２参照）。処理システム１１４はメッセージ１０６をインターフェイス１１２を介して受信する。メッセージ１０６は、メッセージ１０６を送信するよう構成された移動体電話、ＰＤＡ又は他のシステムによって送信される。
【００１６】
ステップ２０４において、処理システム１１４は、メッセージ１０６がスパムメールからなる疑いがあるかの最初の判断を下すために第１のフィルタリング基準に基づいてメッセージ１０６を処理する。スパムメールは歓迎されないメッセージ又は不要なメッセージからなる。フィルタリング基準はスパムメールを識別するために用いられる何らかの規則、アルゴリズム、データ又は情報からなる。実施例によっては、この最初の判断は、メッセージ１０６の大まかな検査をして、疑いのあるメッセージ（即ち、スパムメールであると疑われるメッセージ）を識別することを意図するものである。最初の判断は可能な限りリアルタイムに近いものとなる。
【００１７】
処理システム１１４が、メッセージ１０６がスパムメールからなる疑いがないと判断した場合、ステップ２０８において、処理システム１１４はメッセージをメッセージセンター１１１に送信する。処理システム１１４はメッセージ１０６をメッセージセンター１１１にインターフェイス１１２を介して送信してもよい。そして、メッセージセンター１１１はメッセージ１０６を宛先移動体通信装置１０４に転送することができる。
【００１８】
処理システム１１４が、メッセージ１０６がスパムメールからなる疑いがあると判断した場合、ステップ２１０において、処理システム１１４は、メッセージがスパムメールからなるか否かの最終判断を下すために第２のフィルタリング基準に基づいてメッセージを処理する。実施例によっては、この最終判断は、メッセージ１０６のより徹底的な検査を行ってメッセージ１０６がスパムメールからなるものか判断することを意図するものである。この最終判断において時間は大きな問題ではない。処理システム１１４は最終判断を下すために人間のオペレーターに補助を求めたり問い合わせたりしてもよい。方法２００は更に、図２に図示されないステップを含んでもよい。
【００１９】
図３は本発明の実施例である方法２００に対する追加的なステップを示すフローチャートである。一実施例において、処理システム１１４がステップ２１０における最終判断でメッセージ１０６がスパムメールからなるものではないと判断した場合、ステップ３０４において、処理システム１１４はメッセージをメッセージセンター１１１に送信する。処理システム１１４はメッセージ１０６をメッセージセンター１１１にインターフェイス１１２を介して送信してもよい。メッセージセンター１１１はメッセージ１０６を宛先の移動体通信装置１０４へ転送することができる。
【００２０】
処理システム１１４が、メッセージ１０６がスパムメールからなると判断した場合、ステップ３０６において、処理システム１１４はメッセージ１０６をブロックする。ステップ３０８において、処理システム１１４はメッセージ１０６を（並びに恐らくそれ以前及び以降のメッセージも）データテーブルに記憶する。ステップ３１０において、処理システム１１４はメッセージ１０６及びデータテーブル内に記憶された他のメッセージの内容を分析し、新しいスパムパターンか他のスパムメールの表示かを識別する。そして、ステップ３１２において、処理システム１１４は第１のフィルタリング基準及び／又は第２のフィルタリング基準を新しいスパムパターンを用いて更新し、スパムメールのフィルタリングを改善する。処理システム１１４は、最初の判断が疑いのあるスパムメッセージをより正確に識別するように継続的に第１のフィルタリング基準を改善しようとする。処理システム１１４はまた、本当のスパムメールがまともなメッセージから区別されるように継続的に第２のフィルタリング基準を改善しようとする。
【００２１】
図４は発明の他の実施例における通信環境４００を示すものである。通信環境４００はシグナリングゲートウェイ４０２、スパムフィルタリングシステム４０４、ショート・メッセージ・サービス・センター（ＳＭＳＣ）４０６及び移動体通信装置４１２を含む。シグナリングゲートウェイ４０２はＳＳ７ゲートウェイ、インターネット・プロトコル（ＩＰ）ゲートウェイ、Ｃ７ゲートウェイ又は他のシグナリングゲートウェイからなるようにしてもよい。スパムフィルタリングシステム４０４はインターフェイス４１４及び処理システム４１６を含む。処理システム４１６はフロントエンド・サービス・パッケージ・アプリケーション（ＦＥ−ＳＰＡ）４２２及びバックエンド・サービス・パッケージ・アプリケーション（ＢＥ−ＳＰＡ）４３２を実行するように構成されている。ＦＥ−ＳＰＡ４２２は、処理システム４１６で実行される場合、フィルタリング基準４２４及びデータテーブル４２６にアクセスできる。ＢＥ−ＳＰＡ４３２は、処理システム４１６で実行される場合、フィルタリング基準４３４及びデータテーブル４３６にアクセスできる。ＳＭＳＣ４０６は、（１２８バイトまでの）ショートメッセージを受け入れ、バッファリングし、処理し、及び配信するいずれかの設備からなる。この実施例ではＳＭＳＣが使用されるが、他の実施例において、デジタル画像のようなマルチメディアメッセージを受け入れ、バッファリングし、処理し、及び配信するマルチメディア・サービス・センター（ＭＭＳＣ）を用いることもできる。
【００２２】
スパムフィルタリングシステム４０４は、この実施例ではシグナリングゲートウェイ４０２とＳＭＳＣ４０６との間に位置する。スパムフィルタリングシステム４０４は他の所望の場所に位置していてもよい。他の実施例では、スパムフィルタリングシステム４０４は、シグナリングゲートウェイ４０２、ＳＭＳＣ４０６又は他のシステムに位置していてもよいし、スタンドアローン型のシステムであってもよい。スパムフィルタリングシステム４０４はネットワークに基づくシステムである。スパムフィルタリングシステム４０４は、携帯電話のような通信装置にスパムメールが到達する前に、無線ネットワーク内のスパムメールを阻止することを意図するものである。スパムフィルタリングシステム４０４は好都合なことに通信装置上に装備される必要はなく、従って、処理速度やメモリサイズのような問題を回避できる。このことは、コンピュータ上に装備されて個々のコンピュータをスパムメールから保護しようとする従来のスパムフィルターとは対照的である。
【００２３】
動作について、シグナリングゲートウェイ４０２はＳＭＳメッセージを受信する。他の実施例では、メッセージはマルチメディア・サービス（ＭＭＳ）メッセージからなるようにしてもよい。ＳＭＳメッセージはシグナリング及びデータストリームを含む。シグナリングゲートウェイ４０２は、宛先の移動体通信装置４１２に対するアドレス（例えば、通信装置４１２の電話番号等）に基づいてＳＭＳメッセージをＳＭＳＣ４０６に送信することを試行する。スパムフィルタリングシステム４０４はＳＭＳＣ４０６へ送信されるＳＭＳメッセージを阻止する。シグナリングゲートウェイ４０２はスパムフィルタリングシステム４０４の存在を知らなくてもよく、又はＳＭＳメッセージをスパムフィルタリングシステム４０４に向けて送信してもよい。
【００２４】
ＦＥ−ＳＰＡ４２２はＳＭＳメッセージを受信する。ＦＥ−ＳＰＡ４２２は、ＳＭＳメッセージがスパムメールからなる疑いのあるものかの最初の判断を下すためにＳＭＳメッセージを処理する。ＦＥ−ＳＰＡ４２２はフィルタリング基準４２４にアクセスしてＳＭＳメッセージを処理する。最初の判断は、ＳＭＳメッセージを大まかに検査して疑わしいメッセージ（即ち、スパムメールと疑われるメッセージ）を識別するものである。最初の判断は可能な限りリアルタイムに近づけて実行される。
【００２５】
最初の判断を下すためのいくつかのフィルタリング基準４２４を下記に示す。ＦＥ−ＳＰＡ４２２はＳＭＳメッセージの送信元アドレス（例えば、送信者の電話番号等）を処理し、大量のＳＭＳメッセージがこの送信元アドレスから発せられたかを判定することができる。ＦＥ−ＳＰＡ４２２は受信アドレスを処理して、受信アドレスが以前に送信された他のＳＭＳメッセージのアドレスと隣接するか、又は連続的なものかを判定するようにしてもよい。ＦＥ−ＳＰＡ４２２は送信元アドレスから送信されるＳＭＳメッセージ数を調べて、送信元アドレスがメッセージカウンターのしきい値を超えるかを判定するようにしてもよい。ＦＥ−ＳＰＡ４２２は、送信元アドレスが、適正な大量ＳＭＳ送信者のようなホワイトリスト（許可された者のリスト）にあるものかを判定し、あるいは送信元アドレスが、スパムメールを送るものと特定された送信者のようなブラックリスト（許可されていない者のリスト）にあるものかを判定するようにしてもよい。ホワイト及びブラックリストはネットワーク分析者によって選択されてもよいし、及び／又はユーザーによって彼／彼女の好みに従って選択されてもよい。ＦＥ−ＳＰＡ４２２はＳＭＳメッセージのデータストリームを処理して、スパムメールからなるものと認められる特定のデータパターンを識別するようにしてもよい。
【００２６】
ＦＥ−ＳＰＡ４２２が最初の判断に基づいて、ＳＭＳメッセージがスパムメールからなるものと疑わない場合、ＦＥ−ＳＰＡ４２２はＳＭＳメッセージをＳＭＳＣ４０６へ転送する。そして、ＳＭＳＣ４０６はＳＭＳメッセージを移動体通信装置４１２へ転送する。移動体通信装置４１２は無線電話機、ＰＤＡ又は類似の通信装置からなる。
【００２７】
ＦＥ−ＳＰＡ４２２が最初の判断に基づいて、ＳＭＳメッセージがスパムメールからなるものと疑う場合、ＦＥ−ＳＰＡ４２２はそのＳＭＳメッセージに対して疑わしさのレベルを割り当てる。疑わしさのレベルとは、そのＳＭＳメッセージがスパムメールからなることをＦＥ−ＳＰＡ４２２がどの程度確証しているかを示すものである。疑わしさのレベルはベイジアン・メトリックに基づくようにしてもよい。そして、ＦＥ−ＳＰＡ４２２はより徹底した分析のためにＳＭＳメッセージをＢＥ−ＳＰＡ４３２に転送してもよい。
【００２８】
ＦＥ−ＳＰＡ４２２はデータテーブル４２６を用いて、処理するＳＭＳメッセージの情報を調査する。例えば、ＦＥ−ＳＰＡ４２２は、ある期間に亘ってデータテーブル４２６内の特定の送信元アドレスによって送信されたＳＭＳメッセージの数を調査するようにしてもよい。ＦＥ−ＳＰＡ４２２はまた、ある期間に亘ってデータテーブル４２６内の特定のネットワークによって送信されたＳＭＳメッセージの数を調査するようにしてもよい。
【００２９】
ＢＥ−ＳＰＡ４３２は、ＦＥ−ＳＰＡ４２２から疑わしいＳＭＳメッセージを受信する。ＢＥ−ＳＰＡ４３２は、ＳＭＳメッセージがスパムメールからなるか否かの最終判断を下すためにＳＭＳメッセージを処理する。ＢＥ−ＳＰＡ４３２はフィルタリング基準４３４にアクセスして、ＳＭＳメッセージを処理し最終判断を下す。フィルタリング基準４３４はフィルタリング基準４２４と同じである。しかし、フィルタリング基準４３４は通常、フィルタリング基準４２４よりも深いＳＭＳメッセージ審査に備えるものであり、フィルタリング基準４３４はフィルタリング基準４２４よりもより多くの規則やコンテンツデータパターンを含んでいる。例えば、フィルタリング基準４２４によって、ＦＥ−ＳＰＡ４２２がＳＭＳメッセージに対するシグナリング情報を検査するとともにＳＭＳメッセージのデータストリームの小さいコンテンツ部分を検査することを可能とする。一方、フィルタリング基準４３４によって、ＢＥ−ＳＰＡ４３２がＳＭＳメッセージのデータストリームのコンテンツを徹底的に検査してスパムメールと識別されるコンテンツパターンを探すことを可能とする。ＦＥ−ＳＰＡ４２２においてデータストリームの徹底的な検査をすれば時間がかかり過ぎることになる。ＢＥ−ＳＰＡ４３２では、時間は大きな問題ではないので、事実上ＳＭＳメッセージを審査するためのいかなるフィルタリング基準４３４も用いることができる。
【００３０】
ＢＥ−ＳＰＡ４３２がＳＭＳメッセージはスパムメールからなるものではないと判断した場合、ＢＥ−ＳＰＡ４３２はＳＭＳメッセージをＳＭＳＣ４０６へ転送する。そして、ＳＭＳＣ４０６はそのＳＭＳを移動体通信装置４１２に転送する。
【００３１】
ＢＥ−ＳＰＡ４３２がＳＭＳメッセージがスパムメールからなると判断した場合、ＢＥ−ＳＰＡ４３２はＳＭＳメッセージがＳＭＳＣ４０６に到達しないようにブロックする。ＢＥ−ＳＰＡ４３２はまた、スパムメールであると判定されたＳＭＳメッセージを今後の分析のためにデータテーブル４３６に記憶する。ＢＥ−ＳＰＡ４３２は、恐らく人間のオペレーターの指示の下、データテーブル４３６に記憶されたスパムＳＭＳメッセージを分析して新しいスパムパターンを識別する。新しいスパムパターンが見つかると、ＢＥ−ＳＰＡ４３２はＦＥ−ＳＰＡ４２２で用いられるフィルタリング基準４２４を用いて更新する。ＢＥ−ＳＰＡ４３２はフィルタリング基準４２４を継続的に更新して、ＦＥ−ＳＰＡ４２２が疑わしいＳＭＳメッセージを識別する性能を向上する。ＢＥ−ＳＰＡ４３２もまた、フィルタリング基準４３４を更新する。フィルタリング基準４２４及びフィルタリング基準４３４の更新は、品質を確かなものとするために人間のオペレーターの指示の下で行ってもよい。
【００３２】
まとめると、スパムフィルタリングシステム４０４は、正しいＳＭＳメッセージがＳＭＳＣ４０６にほぼリアルタイムで到着するように最初のスパム判定を行う。その後、スパムフィルタリングシステム４０４は、疑わしいメッセージについてより詳細な分析を行い、ＳＭＳメッセージがＳＭＳＣ４０６に到達する前にスパムＳＭＳメッセージを効果的にブロックする。スパムＳＭＳメッセージのほとんど又は全てをブロックすることにより、移動体通信装置４１２はより少ないスパムメールしか受信しないことになる。
【図面の簡単な説明】
【００３３】
【図１】図１は発明の実施例における通信環境を示す図である。
【図２】図２は発明の実施例における無線ネットワークでのスパムメールをフィルタリングする方法を示すフローチャートである。
【図３】図３は本発明の実施例である図２における方法に対する追加的なステップを示すフローチャートである。
【図４】図４は発明の他の実施例における通信環境を示す図である。
【符号の説明】
【００３４】
１００．通信環境
１０２．無線ネットワーク
１０４．移動体通信装置
１０６．メッセージ
１１０．スパムフィルタリングシステム
１１１．メッセージセンター
１１２．インターフェイス
１１４．処理システム
４００．通信環境
４０２．シグナリングゲートウェイ
４０４．スパムフィルタリングシステム
４０６．ＳＭＳＣ（ショート・メッセージ・サービス・センター）
４１２．移動体通信装置
４１４．インターフェイス
４１６．処理システム
４２２．ＦＥ−ＳＰＡ（フロントエンド・サービス・パッケージ・アプリケーション）
４２４．フィルタリング基準
４２６．データテーブル
４３２．ＢＥ−ＳＰＡ（バックエンド・サービス・パッケージ・アプリケーション）
４３４．フィルタリング基準
４３６．データテーブル
【図１】
2006060811.tif 000003
【図２】
2006060811.tif 000004
【図３】
2006060811.tif 000005
【図４】
2006060811.tif 000006